(57)【要約】【課題】  各収納家具を組み合わせてなされる入隅用収納家具において、各収納家具間の隙間を塞ぐと共に、メンテナンス時の省力化が図られる。【解決手段】  本発明では、蹴込み収納部を備えるコーナー部用収納家具と、前記コーナー部用収納家具の隣に配置される蹴込み収納部を備える隣接用収納家具と、を備える入隅用収納家具において、前記コーナー部用収納家具と、前記隣接用収納家具がそれぞれ隙間塞ぎ部を備え、前記コーナー部用収納家具側の隙間塞ぎ部より手前側に位置する前記隣接用収納家具側の隙間塞ぎ部を備えることを特徴とする入隅用収納家具を提供する。【選択図】  図１
2007301082.tif 000002
【特許請求の範囲】
【請求項１】
蹴込み収納部を備えるコーナー部用収納家具と、前記コーナー部用収納家具の隣に配置される蹴込み収納部を備える隣接用収納家具と、を備える入隅用収納家具において、
前記コーナー部用収納家具と、前記隣接用収納家具がそれぞれ隙間塞ぎ部を備え、前記コーナー部用収納家具側の隙間塞ぎ部より手前側に位置する前記隣接用収納家具側の隙間塞ぎ部を備えることを特徴とする入隅用収納家具。
【発明の詳細な説明】
【技術分野】
【０００１】
本発明は、住宅居室や厨房等にあって、品物を出し入れ収納する家具やシステムキッチン等の収納キャビネット配列時にできる、蹴込み部の隙間を塞ぐ入隅用収納家具に関するものである。
【背景技術】
【０００２】
従来のコーナー部に配置される家具として、例えば、特許文献１または特許文献２などに示すものがあった。 
しかしいずれも蹴込み収納部を備えた収納家具ではなく、またそのためその際に生ずる不具合に対する工夫も何もなかった。
【特許文献１】特開２００６−６１５４８号公報
【特許文献２】特開２００５−１６８８６７号公報
【発明の開示】
【発明が解決しようとする課題】
【０００３】
本発明は、上記問題を解決するためになされたもので、本発明の課題は、蹴込み収納部を備えた収納家具を組み合わせ、入隅用収納家具とした際に発生する各収納家具間に発生する隙間を塞ぐことを目的とする。さらにはメンテナンス時のためコーナー部用収納家具を動かすことなく隣接用収納家具を移動できることが可能となる隙間塞ぎ部を備えた入隅用収納家具を提供する。
【課題を解決するための手段】
【０００４】
上記目的を達成するために請求項１記載の発明によれば、蹴込み収納部を備えるコーナー部用収納家具と、前記コーナー部用収納家具の隣に配置される蹴込み収納部を備える隣接用収納家具と、を備える入隅用収納家具において、
前記コーナー部用収納家具と、前記隣接用収納家具がそれぞれ隙間塞ぎ部を備え、前記コーナー部用収納家具側の隙間塞ぎ部より手前側に位置する前記隣接用収納家具側の隙間塞ぎ部を備えることを特徴とする入隅用収納家具を提供する。
よって各収納家具間の隙間を塞ぐと共に、メンテナンス時の省力化が図られる。
【実施例】
【０００５】
図１は、本実施例の入隅用収納家具３０を配置した斜視図である。コーナー部用収納家具１１は１１ａ、１１ｂ、１１ｃの３個の引き出しを備えた引き出し付き収納家具で、最下段１１ｃの引き出しは、蹴込み部１１ｄも一体的に引き出し可能な蹴込み収納部となっている。隣接用収納家具１２、１３は、コーナー部用収納家具１１に隣接して配置され、コーナー部用収納家具１１と同様の蹴込み収納部を備えた収納家具である。 なお、本実施例では、図中矢印Ａ側を手前側とする。
【０００６】
図２は、本実施例の入隅用収納家具３０の平面断面図である。図２に示すように、９０度Ｌ字型に曲がりをなす収納家具のコーナー部に、コーナー部の中位角度となる斜め４５度方向に、平面視方形のコーナー部用収納家具１１が入隅側を収納開口として配置されている。
コーナー部用収納家具１１に隣接して、９０度Ｌ字型に曲がりをなす収納家具のコーナー部の両翼に当たる直線部に、平面視方形で蹴込み部を有する隣接用収納家具１２および１３を、入隅側が収納開口となるように配置する。隣接用収納家具１２、１３のコーナー側の側板１２ａ、１３ａには、木口前面部が面一になるようにフィラー１４が配置される。コーナー部用収納家具１１の両サイドそれぞれの側板１１ｅと、隣接用収納家具１２、１３に取付けられたフィラー１４は、木口前面部の端が接するように前述の配置にそれぞれ配置される。
なお図２は各収納家具の上部に配置されるカウンターを省略して図示している。
【０００７】
図３は、各収納家具間の蹴込み部の隙間を塞ぐ部材を取付けた状態を、手前側からみた外観斜視図、図４は背面側からみた外観斜視図である。入隅用収納家具３０には蹴込み部隙間１９が２箇所発生する。以下、蹴込み部隙間１９を隠す方法を、片方の蹴込み部隙間１９について説明する。
側板１１ｅの蹴込み部分は、側板１１ｅの最下端部に形成される奥行き方向の直線部１１ｆと鉛直方向の直線部１１ｇとから構成される。側板１２ａ、フィラー１４についても、同様の構成で形成された蹴込み部を持つ。それぞれの蹴込み部の切り欠いたサイズは等しく、側板およびフィラーの木口前面を面一にした時、それぞれの蹴込み部前面の鉛直方向の直線部１１ｇも面一になる。
隙間塞ぎ部材１６は、側板１１ｅの蹴込み部分に、外側の側面から床面にかけてＬ字形に、隙間塞ぎ部材１６の平面部５０がコーナー部用収納家具１１の開口に並んで配置される。
隙間塞ぎ部材１５を取付けた取付け部材１７は、フィラー１４の蹴込み部分に隙間塞ぎ部材１５が手前側を向くように固定される。その時、隙間塞ぎ部材１５は、フィラー１４と側板１２ａの境界から飛び出さないように取付けられる。すなわち、本実施例では隙間塞ぎ部として、隙間塞ぎ部材１５、１６と取付け部材１７を有する。隙間塞ぎ部材１６をコーナー部用収納家具１１に取付け、取付け部材１７と隙間塞ぎ部材１５はフィラー１４を介して隣接用収納家具１２に取付ける。このように、隙間塞ぎ部を、コーナー部用収納家具側の隙間塞ぎ部材と、それより手前側に位置する前記隣接用収納家具側の隙間塞ぎ部材で構成し、蹴込み部隙間１９が手前側から見て隠れるように双方の収納家具を配置する。
以上のように構成された入隅用収納家具３０について、以下、その効果を説明する。
まず隙間塞ぎ部材１５、１６を、奥行き方向にそれぞれの部材の一部が重なるように配置することで、双方の収納家具が干渉することなく、蹴込み部隙間１９を隠すように配置することができる。
さらに、隙間塞ぎ部を、コーナー部用収納家具側の隙間塞ぎ部材と、それより手前側に位置する前記隣接用収納家具側の隙間塞ぎ部材で構成することで、設置後に、コーナー部用収納家具１１を動かすことなく隣接用収納家具１２を取り出すことができるため、メンテナンス性も考慮された構造となっている。
例えば、蹴込み部隙間１９を一部材で隠そうした場合、蹴込み部隙間１９を確実に隠そうとすると設置時の施工性が難しくなる。また逆に隙間が大きく残る可能性もある。
またコーナー入隅に配置したコーナー部用収納家具１１は、生産組立構成がシンプルである平面方形であるため、複雑な構造の大型キャビネットを形成することなく、収納キャビネットの生産性は向上し、加えて施工性やキャビネット搬送入性が各段に向上する。言い換えれば、コーナー部用収納家具１１は、その収納家具内に収納できない１８のような無駄な空間を持っていない。
フィラー１４をコーナー部用収納家具１１と隣接用収納家具１２、１３とのそれぞれに介すことで、扉１１ｈと、隣接する扉１２ｂ、１３ｂの両角部の干渉が回避でき、収納家具同志の不用意な干渉当接を防止している。
【図面の簡単な説明】
【０００８】
【図１】本発明の実施形態を示す斜視図である。
【図２】同実施形態を示す平面断面図である。
【図３】同実施形態の蹴込み部隙間部分を手前側から見た外観斜視図である。
【図４】同実施形態の蹴込み部隙間部分を背面側から見た外観斜視図である。
【符号の説明】
【０００９】
１１…コーナー部用収納家具
１１ａ、１１ｂ、１１ｃ…引出し
１１ｄ…引出しの蹴込み部
１１ｅ、１２ａ、１３ａ…側板
１１ｆ、１１ｇ…蹴込み部を形成する直線部
１１ｈ、１２ｂ、１３ｂ…扉
１２、１３…隣接用収納家具
１４…フィラー
１５、１６…隙間塞ぎ部材
１７…取付け部材
１８…空間
１９…蹴込み部隙間
３０…入隅用収納家具
５０…隙間塞ぎ部材の平面部
【図１】
2007301082.tif 000003
【図２】
2007301082.tif 000004
【図３】
2007301082.tif 000005
【図４】
2007301082.tif 000006